(57)【特許請求の範囲】
【請求項１】
光源と、この光源から発した光を集光し標本を照明するためのコンデンサレンズとを具備した透過照明光学系と、標本を観察するための対物レンズを含む観察光学系と、を有する顕微鏡に用いられる透過照明装置において、
前記透過照明光学系内にあって、前記対物レンズの瞳位置と共役位置又は共役近傍な位置に配置され、各々を独立して移動させることで前記対物レンズの瞳内に形成される開口の形状を制御する、開口側の形状が直線状部を有する少なくとも２つの遮光体を有することを特徴とする顕微鏡透過照明装置。
【請求項２】
光源と、この光源から発した光を集光し標本を照明するためのコンデンサレンズとを具備した透過照明光学系と、標本を観察するための対物レンズを含む観察光学系と、を有する顕微鏡に用いられる透過照明装置において、
前記透過照明光学系内にあって、前記対物レンズの瞳位置と共役位置又は共役近傍な位置に配置され、各々を独立して移動させることで前記対物レンズの瞳内に形成される開口の形状を制御する、直線状部が互いに平行な２つの遮光体を有することを特徴とする顕微鏡透過照明装置。
【請求項３】
前記２つの遮光体は、同方向に移動可能であり、各々の直線状部が形成する平行部の間隔、及び平行部の位置を調整可能であることを特徴とする請求項１又は２に記載の顕微鏡透過照明装置。
【請求項４】
前記対物レンズの瞳内に形成される開口の光強度を部分的に制御する光学部材を、前記遮光体の配置された位置、もしくはこの近傍位置の平面内で移動可能に、少なくとも１つ配置したことを特徴とする請求項１乃至３のいずれか１項に記載の顕微鏡透過照明装置。
【請求項５】
前記コンデンサレンズは開口絞りを有し、前記遮光体を開口絞り位置近傍に配置したことを特徴とする請求項１乃至４のいずれか１項に記載の顕微鏡透過照明装置。
【請求項６】
前記対物レンズの瞳の面積をＤ１、前記遮光体によって形成された前記対物レンズの瞳内に形成される開口部分の面積をＤ２とした場合、Ｄ２／Ｄ１≦０．５を満足することを特徴とする請求項１乃至５のいずれか１項に記載の顕微鏡透過照明装置。
【請求項７】
前記コンデンサレンズの照明可能な最大の開口数をＮＡ１、前記コンデンサレンズの最大の照明範囲を観察可能な対物レンズの開口数をＮＡ２とした場合、ＮＡ２／ＮＡ１＜０．６を満足することを特徴とする請求項１乃至６のいずれか１項に記載の顕微鏡透過照明装置。
【請求項８】
前記コンデンサレンズは、開口絞りを有すると共に、この開口絞りと標本との間にある少なくとも１つのレンズ群が、低倍率と高倍率に応じて着脱、又は切換え可能に構成されており、前記遮光体は、低倍率時のコンデンサレンズの瞳位置、もしくはその瞳位置の近傍に配置されることを特徴とする請求項１又は２に記載の顕微鏡透過照明装置。
【請求項９】
前記コンデンサレンズの高倍率側の焦点距離をＦ１、低倍率側の焦点距離をＦ２とした場合、Ｆ１／Ｆ２＜０．４５を満足することを特徴とする請求項８に記載の顕微鏡透過照明装置。
【請求項１０】
左右に対物レンズの瞳位置を有する実体顕微鏡に用いられ、前記少なくとも２つの遮光体は、前記左右の光軸を含む平面と平行な方向に対して直交する方向に移動させることにより、前記対物レンズの左右の瞳を均等に絞るように制御を行うことを特徴とする請求項１乃至９のいずれか１項に記載の顕微鏡透過照明装置。
【発明の詳細な説明】
【０００１】
【発明の属する技術分野】
本発明は、各種顕微鏡に適用可能な透過照明装置に関する。
【０００２】
【従来の技術】
従来より、無色透明な各種の位相標本を可視化し、観察することができるように、位相差観察法、微分干渉観察法、変調コントラスト法、偏斜照明法等が提案されている。
【０００３】
上記位相差観察法は、顕微鏡の照明光学系の瞳位置にリングスリットを配置し、リングスリットと共役な位置にある結像光学系の瞳に、リングスリットと共役な形状の位相膜を配置するものである。この観察法の長所は、構造間の屈折率差が小さい標本や、細胞の顆粒状の微小構造等についても、高い検出感度で鮮明なコントラストのついた観察像が得られることである。これに対し、この観察法の短所は、標本の構造の端部が白く光って見える、ハローと呼ばれる現象により、構造の輪郭が確認しにくい点である。さらに、照明光学系に配置されたリングスリットと観察光学系の瞳面に配置された位相膜を投影し一致させなければならず、リングスリットから位相膜面までの瞳の収差性能を良好にする必要がある。位相差観察法においては、高倍率での観察は問題ないが、低倍率や極低倍率での観察は瞳の収差性能を良好に補正することはできない。実際、位相差観察法が可能なのは、４倍の対物レンズ程度までである。
【０００４】
微分干渉観察法は、複屈折結晶により生じた直交する２つの偏光を標本面上に僅かにずらして照明し、これらを干渉させることで標本の微小な構造を観察するものである。この観察法の長所は、非常に高いコントラストで、立体感のある観察を行うことができる点である。これに対し、この観察法の短所は、複屈折結晶を使用するため高価であり、偏光を用いた観察であるため、偏光状態に影響を与えるような物質からなる場合には、正確な観察像を得られない。例えば、プラスチックシャーレは、微分干渉観察には不適である。これは、プラスチックの複屈折により、偏光が乱れるためである。さらに、照明光学系におけるレンズや対物レンズの歪みによって偏光状態が乱されるので、専用の対物レンズ等が必要となる。また、２つの光束を干渉させるため、実際に観察が可能なのは、４倍の対物レンズ以上であり、低倍や極低倍の観察には不適である。
【０００５】
変調コントラスト観察法は、特開昭５１−１２８５４８号に開示されているように、顕微鏡の照明光学系の瞳位置にスリットを配置し、結像光学系の瞳位置に透過率の異なる領域を複数配置するものである。通常、スリットと共役な領域に、適当な透過率をもつ吸収膜を配置し、それに隣接した一方の側を透過領域、他方の側を斜光領域とする。瞳面上では、標本内の構造による屈折の大小によって光の透過する領域が異なり、それに伴って透過率も変化するため、白黒の陰影をつけた立体感のある像が得られる。この観察方法の長所は、比較的安価な構成により、位相物体に陰影をつけて立体感のある像が得られることである。また、上記した位相差観察法で見られるハローがないため、構造の輪郭を観察し易く、細胞等のマニピュレーションに適している。これに対し、この観察法の短所は、位相差観察方法に比べて検出感度が劣ること、微小構造が確認しにくいことである。また、対物レンズを交換するたびに、スリットと吸収膜の向きを合わせる煩雑な操作が必要となる。さらに、スリットを観察光学系の吸収膜に投影するため、位相差観察法と同様に瞳を投影する光学系の収差を良好にする必要がある。このため、低倍や極低倍の対物レンズでは、瞳収差が良好に補正できず観察には不適である。
【０００６】
さらに、位相標本を可視化する照明方法として、偏斜照明法と暗視野照明法がある。
【０００７】
図１（ａ）乃至（ｄ）は、それぞれ、一般的な偏斜照明法におけるコンデンサレンズの模式図であり、これらの図において、符号１は開口絞り、符号２ａ，２ｂはレンズ群、そして、符号３は標本を示している。開口絞り１は、照明の開口を制限するものであり、可変する円形状の開口を有し、照明光軸Ｏと垂直な面内で移動することで、標本３に対する照明の角度が制御される。すなわち、図（ａ）に示す状態にある開口絞り１を移動させ、かつ絞ったときの瞳の状態が図（ｂ）に、さらに開口絞り１を絞ったときの瞳の状態が図（ｃ）に示されており、開口絞り１を開けた状態で移動させたときの瞳の状態が図（ｄ）に示されている。
【０００８】
また、図２（ａ）は、一般的な暗視野照明法におけるコンデンサレンズの模式図を示している。従来の暗視野照明方法は、図に示すように、開口絞りが配置される付近に、内側を遮蔽し、外側の輪帯部にスリットを開けた絞り１ａを配置している。図２（ｂ）に示すように、この絞り１ａは、中央部に光を遮蔽する領域１ｂが設けられており、この領域１ｂによって、照明光を直接、対物レンズに入射させず、かつ標本３から発した散乱光を観察することで暗視野観察が可能となる。この場合、対物レンズの開口数の大きさに応じて絞り１ａの形状を選択することで、様々な対物レンズを用いて暗視野観察が可能となる。
【０００９】
ところで、顕微鏡を用いた観察において、ミクロ領域だけでなく、マクロ領域での観察のニーズがあり、１倍の対物レンズや、更に極低倍の０．５倍対物レンズ等を使用したい場合がある。そして、このようなマクロ領域の観察は、実体顕微鏡を用いるのが一般的である。実体顕微鏡は、安価で操作性に優れ、立体的な観察が可能であるという利点があり、また、照明方法についても、暗視野、明視野、偏斜照明のように、位相標本のような透明な標本を可視化する手段が存在する。
【００１０】
特開平４−３１８８０４号には、偏斜照明が行える実体顕微鏡の透過照明装置が開示されている。図３は、この公報に開示されている透過照明装置を示す図である。図３（ａ）に示すように、この装置は、光源５からの光をコレクタレンズ６、摺りガラス７を介してミラー８に導き、ミラー８により反射した光線をコンデンサレンズ９を介して標本載置透明部材１０上の標本１０ａに照射して対物レンズ１２に導くように構成されている。ミラー８を回転させ、角度を変えることにより、図３（ｂ）に示す左右の対物レンズの瞳１３の暗部１３ａと明部１３ｂの比が調節できるように構成されている。
【００１１】
また、実公昭４１−５８０８号には、偏斜照明と暗視野照明を選択的に行える実体顕微鏡の透過照明装置が開示されている。図４はこれを説明するための図である。図４（ａ）に示すように、この装置は、光源５からの光をコンレクタレンズ６、摺りガラス７を介してミラー８に導き、ミラー８により反射した光をコンデンサレンズ９を介して標本１０ａに照射して対物レンズ１２に導くように構成されている。そして、対物レンズ１２の瞳と共役な位置に配置されている摺りガラス７の近傍に、光束を切るナイフエッジ１５を設けている。
【００１２】
図４（ｂ）に示すように、２つ並んだ対物レンズの瞳の共役像１７に対してナイフエッジ１５を上下に移動させることにより、斜光斜照明と暗視野照明を選択的に行うことができる。また、上記した特開平４−３１８８０４号には、図４のナイフエッジ１５の代わりに絞りを配置することも提案されている。
【００１３】
【発明が解決しようとする課題】
位相標本のような透明な物体の観察が行える上述した位相差観察法、微分干渉観察法、変調コントラスト観察法は、それぞれ専用の観察光学系が必要となる。また、照明光学系と観察光学系の瞳投影光学系の光学性能を良好に補正する等の必要性があり、低倍や極低倍での観察には不向きである。
【００１４】
また、上述した図１（ａ）に示す偏斜照明法では、開口絞り１を、図１（ｃ）に示すように移動させ、かつ絞り込むと、解像や照明光の明るさが不足してしまい、また、図１（ｄ）に示すように移動させると、偏斜照明の自由度、つまり対物レンズに直接入射する照明光と入射しない照明光の割合を調節することが難しい。これは、開口絞りが円形開口を形成するように構成されているためである。
【００１５】
また、上述した図２に示した暗視野照明の場合でも、輪帯状のスリットの幅や開口位置により、暗視野照明光の角度が変わるので、標本の厚さ等が変化すると、コントラスト良く可視化できないこともある。すなわち、照明光の角度を自由に調整するためには、異なる構成の輪帯状スリットを多数用意する必要があり、実用的ではない。
【００１６】
また、上述した実体顕微鏡で提案されているような偏斜照明方法においても、対物レンズの瞳を片側だけ照明する構成であるため、一通りのコントラストしか得られない。また、照明光学系の瞳にスリットを配置することにより、対物レンズの瞳の開口を制限して偏斜照明の効果は得られるが、従来例では、スリットの形状、もしくはスリットの配置が固定されているため、様々な標本の厚みや屈折率の変化に応じて、自由に照明光の強度や照明角度をきめ細かく調節できない。
【００１７】
以上のように、従来の顕微鏡の照明装置は、低倍から極低倍領域での観察を行うに際し、位相標本をコントラスト良く可視化するための照明法として十分とはいえない。
【００１８】
この発明の目的は、特に、低倍から極定倍領域において、観察光学系に専用の光学素子等を配置することなく、位相標本をコントラスト良く可視化して、その構造や分布を特定可能にする顕微鏡の照明装置を提供することにある。すなわち、様々な厚さや屈折率をもつ標本に対して、連続的にコントラストを変化させ、標本に対して最適な照明を与える照明装置を提供することにある。
【００１９】
【課題を解決するための手段】
前記課題を解決するため、本発明は、光源と、この光源から発した光を集光し標本を照明するためのコンデンサレンズとを具備した透過照明光学系と、標本を観察するための対物レンズを含む観察光学系と、を有する顕微鏡に用いられる透過照明装置において、
前記透過照明光学系内にあって、前記対物レンズの瞳位置と共役位置又は共役近傍な位置に配置され、各々を独立して移動させることで前記対物レンズの瞳内に形成される開口の形状を制御する、開口側の形状が直線状部を有する少なくとも２つの遮光体を有することを特徴としている。
また、本発明は、光源と、この光源から発した光を集光し標本を照明するためのコンデンサレンズとを具備した透過照明光学系と、標本を観察するための対物レンズを含む観察光学系と、を有する顕微鏡に用いられる透過照明装置において、
前記透過照明光学系内にあって、前記対物レンズの瞳位置と共役位置又は共役近傍な位置に配置され、各々を独立して移動させることで前記対物レンズの瞳内に形成される開口の形状を制御する、直線状部が互いに平行な２つの遮光体を有することを特徴としている。
【００２０】
上記したように、対物レンズの瞳位置と共役な位置、もしくはこの近傍位置に、少なくとも２つの遮光体を独立に移動させることで、対物レンズの瞳内に形成される開口の形状を連続的に制御することが可能となる。すなわち、各遮光体の移動により、標本を照明する照明光の角度が連続的に変化し、対物レンズに入射する照明光と標本から発する回折光の強度の割合が連続的に制御される。
【００２１】
【発明の実施の形態】
以下、本発明の実施の形態を通常の顕微鏡を例にして説明する。
【００２２】
図６は、顕微鏡の光学系の構成を模式的に示した図であり、前記光学系は、標本を照射する透過照明光学系と、標本を観察する観察光学系とを備えている。
【００２３】
上記透過照明光学系は、ハロゲンランプ等の光源２０と、光源２０からの光を略平行光束にするコレクターレンズ２１と、コレクターレンズからの光を拡散させる拡散板（摺りガラス）２２と、拡散板からの光束を制限する視野絞り２３と、視野絞りを通過した光束を上方に向けて偏向する偏向ミラー２４と、偏向ミラーからの光源像を投影する投影レンズ２５と、投影レンズからの光を略平行光束として、標本３０を照射するコンデンサレンズ２６とで構成されている。この場合、投影レンズ２５からの光源像は、コンデンサレンズ２６の前側焦点位置である透過照明光学系の瞳位置Ｐ１に投影されて標本３０を照明する。
【００２４】
また、前記観察光学系は、対物レンズ３１と、結像レンズ３２と、接眼レンズ３３とで構成されており、観察光学系の瞳位置となっている対物レンズ３１の焦点位置Ｐ２は、前記したコンデンサレンズの焦点位置である瞳位置Ｐ１と共役な関係である。なお、標本３０を透過した光は、対物レンズ３１、結像レンズ３２を通って接眼レンズ３３で観察される。
【００２５】
上記のように構成された透過照明光学系内には、対物レンズ３１の瞳位置Ｐ２と共役な位置（すなわち前記瞳位置Ｐ１）、もしくは共役な位置の近傍において、少なくとも２つの遮光体４０ａ，４０ｂが独立移動可能に配置されている。これらの遮光体４０ａ，４０ｂを移動することにより、以下に詳述するように、前記対物レンズ３１の瞳内に形成される開口の形状が制御される。すなわち、標本３０を照明する照明光の角度を変化させて、対物レンズ３１に直接入射する照明光と、標本３０から発する回折光の強度の割合を調節することが可能となる。
【００２６】
これを、図７乃至図１０を参照して具体的に説明する。なお、これらの図において、図（ａ）は、それぞれ光学系を模式的に示す図、図（ｂ）は、それぞれ顕微鏡における瞳と遮光体との位置関係を示す図である。また、符号Ａで示す円は、前記コンデンサレンズ２６が照明可能な最大の開口数の瞳を示しており、符号Ｃで示す円は、コンデンサレンズ２６の瞳位置Ｐ１において顕微鏡の対物レンズ３１の開口数に対応する瞳を示しており、符号Ｂで示す円は、対物レンズ３１の瞳位置における光の入射状態（開口形状；黒い部分は遮光体４０ａ、４０ｂによって遮光される部分）を示している。
【００２７】
図７は、遮光体が存在しない状態を示しており、いわゆる明視野照明状態となっている。このような構成において、コンデンサレンズ２６の瞳位置Ｐ１、もしくはこの近傍位置（瞳位置Ｐ１から光軸方向に±数ｍｍ程度）に、図６に示したように、少なくとも２つの遮光体４０ａ，４０ｂを独立移動可能に配置する。この場合、遮光体と隣接して開口絞り４１を配置しても良い。
【００２８】
遮光体は少なくとも２つ存在しており、各遮光体の形状、数、移動方法については様々に構成することが可能である。例えば、図８に示すように、それぞれ矩形形状とし、矢印で示すように、独立移動させ、上記した瞳Ｃを遮光するように構成することが可能である。すなわち、図８に示すように上記遮光体４０ａ，４０ｂを位置付けると、瞳Ｂで示すような開口形状（照明状態）が得られる。この図において、遮光体４０ａによって遮光された領域（斜線で示す）は、上記した瞳Ｂにおける左側の黒い領域に対応し、遮光体４０ｂによって遮光された領域は、瞳Ｂにおける右側の黒い領域に対応する。
【００２９】
図８に示した状態から、遮光体４０ｂを、更に遮光体４０ａ側に移動させ、両者の間隔を狭くした状態を図９に示す。この状態の瞳Ｂにおける開口形状に示すように、標本３０に直接入射する照明光は、図において、瞳Ｂの左側の細長い狭い領域のみである。このように、遮光体４０ａ，４０ｂを独立に移動させることで、偏斜照明としての効果が得られると共に、各遮光体４０ａ，４０ｂの間隔を変えることで、明るさ絞りとしての効果が得られる。また、各遮光体４０ａ，４０ｂを任意に移動することで、対物レンズの瞳内に形成される開口形状の制御が可能となる。すなわち、標本３０を照射する照明光の角度及び光量が連続的に変化することで、対物レンズに直接入射する照明光と標本から発する回折光の強度の割合を連続的に調節することができ、標本に応じて最適な観察が行えるようになる。
【００３０】
また、図１０に示すように、各遮光体４０ａ，４０ｂを移動させて瞳Ｃを遮光することで、対物レンズに入射する直接光をカットし、標本からの散乱光を観察する暗視野照明とすることも可能となる。この場合、暗視野照明光の照明の光量および角度は、瞳Ｃを遮光した状態で、遮光体４０ａ，４０ｂの間隔と位置を変化させることで調節可能である。
【００３１】
なお、以上のような光学系は実体顕微鏡に適用可能である。図１１（ａ）乃至（ｄ）は、夫々図７乃至図１０に対応する図であり、上記した光学系を実体顕微鏡に適用した場合の瞳と遮光体との位置関係を示す図である。図１１において、符号Ｃ１，Ｃ２で示す円は、実体顕微鏡の左右それぞれの対物レンズの開口に対応する瞳を示しており、符号Ｂ１，Ｂ２で示す円は、各左右の対物レンズの瞳位置における光の入射状態を示している。
【００３２】
ここで、本発明に係る透過照明装置を実体顕微鏡に組み込んだ構成例を説明する。図５は、実体顕微鏡の全体構成を示す側面図である。この実体顕微鏡２００は、後述する遮光体切替用のレバー２１０ａ（２１０ｂ）、フィルターレバー２０２、ボリュームつまみ２０３、必要に応じて設けられるミラー傾き調整レバー２０４を有する透過照明架台２０５と、ランプハウスＬＨと、焦準部Ｆと、焦準ハンドルＦＨと、鏡筒Ｋと、鏡体ＫＢと、対物レンズ収容体Ｔと、接眼レンズＥＯとを備えている。なお、試料Ｓは、透過照明台の表面に載置され、左右２つある接眼レンズＥＯを介して観察される。
【００３３】
上記した遮光体４０ａ，４０ｂの駆動機構を、図１２乃至図１５を参照して説明する。
【００３４】
図１２で示すように、各遮光体４０ａ，４０ｂは、図５に示した透過照明架台２０５を構成する筐体本体２０５ａの壁面をそれぞれ独立して貫通されると共に、スライド可能な２本のレバー２１０ａ，２１０ｂの先端部の内側に取り付けられている。各レバー２１０ａ，２１０ｂは、矢印方向に独立して操作可能であり、これによって、図８乃至図１０で示したように、遮光体４０ａ，４０ｂを、左右の観察光学系の光軸を含む平面と平行な方向に対して直交する方向（観察者に対して前後方向）に移動させることができる。なお、各レバー２１０ａ，２１０ｂの後端部に並進機構（図示せず）を設け、両遮光体が連動するように構成しても良い。
【００３５】
図１３は、遮光体及びその駆動機構の第２の構成例を示す図である。
【００３６】
各遮光体４０ａ，４０ｂは、筐体本体２０５ａの側壁に対して、斜め方向に、それぞれ独立して貫通されると共に、矢印方向に独立してスライド可能な２本のレバー２１１ａ，２１１ｂの先端部の内側に取り付けられている。このように、各遮光体の移動を果たす操作レバーは、筐体本体２０５ａの側壁の任意の位置に取り付けることが可能であり、その取り付け位置に応じて各遮光体の形状も任意に変更される（図に示した構成は５角形状である）。なお、この変形例においても、各レバー２１１ａ，２１１ｂの後端部に並進機構を設けて、両遮光体が連動するように構成しても良い。
【００３７】
図１４は、遮光体及びその駆動機構の第３の構成例を示す図であり、図（ａ）は平面図、図（ｂ）は側面図である。
【００３８】
各遮光体４０ａ，４０ｂには、図に示すように、夫々斜め方向（Ｙ１、Ｙ２方向）に沿って延出する長孔４０ａ１，４０ａ２及び４０ｂ１，４０ｂ２が形成されると共に、左右方向に沿って延出する長孔４０ａ３，４０ｂ３が形成されている。
【００３９】
筐体本体２０５ａの側壁には、独立して貫通されると共に、スライド可能な２本のレバー２１２ａ，２１２ｂが配されており、各レバーの先端には、前記遮光体４０ａ，４０ｂに形成された長孔４０ａ３，４０ｂ３と係合するピン２１３ａ，２１３ｂが形成されている。また、筐体本体２０５ａの底面には、前記遮光体４０ａ，４０ｂに形成された長孔４０ａ１，４０ａ２及び４０ｂ１，４０ｂ２と係合するリンク２１５ａ，２１５ｂ，２１５ｃ，２１５ｄが設けられている。
【００４０】
この結果、レバー２１２ａ，２１２ｂを、夫々Ｘ１，Ｘ２方向に出し入れすることにより、遮光体４０ａ，４０ｂは、夫々の長孔に沿って、Ｙ１，Ｙ２方向に移動すると共に、相対的に左右方向に移動する。
【００４１】
図１５は、遮光体及びその駆動機構の第４の構成例を示す図であり、図（ａ）は平面図、図（ｂ）は側面図である。この駆動機構は、上述したようなリンク機構に加え、カム機構を備えている。
【００４２】
筐体本体２０５ａの側壁には、軸方向に移動可能で回転操作可能なカム軸２２０が貫通して設けられている。カム軸２２０には、夫々遮光体４０ａ，４０ｂを取り付けたカムフォロワー２２１ａ，２２１ｂが配されている。各カムフォロワー２２１ａ，２２１ｂには、回転固定軸２２２ａ，２２２ｂが設けられており、これらの一端部は、筐体本体２０５ａに形成された保持部２２５に形成された長孔２２５ａに係合して、カムフォロワー２２１ａ，２２１ｂの回転を規制している。また、回転固定軸２２２ａ，２２２ｂの他端部は、カム軸２２０に形成された螺旋溝２２０ａ，２２０ｂと係合しており、カム軸２２０を摘み２２０ｃによって回転させた際、各カムフォロワー２２１ａ，２２１ｂを軸方向に沿って移動させる。
【００４３】
この結果、カム軸２２０を軸方向（矢印Ｘ方向）に移動させることで、各遮光体４０ａ，４０ｂを一体的に軸方向に移動させることができ、また、摘み２２０ｃによってカム軸２２０を回転させることで、各遮光体４０ａ，４０ｂを互いに接近、離反させ、その間隔を変えることができる。
【００４４】
以上のような遮光体及びその駆動機構によれば、実体顕微鏡における左右の対物レンズの各瞳を、前後方向において均等に絞ることができる。左右の瞳が均等に絞られるため、左右の像の見え方は均等となり、実体顕微鏡の特徴である左右の視差で立体感が得られる。この場合、各遮光体４０ａ，４０ｂを移動させることで、標本に対する直接光と回折光の割合を任意に調整して、コントラストを連続的に変化させながら観察を行うことができる。さらに、遮光体４０ａ，４０ｂを接近させることで直接光をカットし、暗視野としての観察も可能となる。このように、各対物レンズの瞳に入射する光量を自由に変えられるので、コントラストを自由に制御でき、しかも斜光を加えることで、さらにコントラストを強調することができ、幅広い標本に対応できる。もちろん、上述した駆動機構は、通常の顕微鏡にも適用可能である。
【００４５】
次に、対物レンズの瞳内に形成される開口形状の制御を行う別の構成を、通常の顕微鏡に適用した場合について説明する。
【００４６】
図１６は、前記対物レンズの瞳に形成される開口に対し、部分的に光の強度を制御する構成を示している。図（ａ）に示すように、一方の遮光体４０ａの近傍に、光の強度を制御する光学部材、例えばＮＤ（Ｎｅｕｔｒａｌ  ｄｅｎｓｉｔｙ）フィルタ４５を移動可能に配置する。このフィルタ４５は、図（ｂ）に示すように、矢印方向に移動可能であり、遮光体４０ａの移動と独立して移動可能に構成されている。
【００４７】
図（ｂ）において、瞳Ｃが各遮光体４０ａ，４０ｂに遮光される領域を斜線で示し、光がフィルタ４５を透過する領域を格子線で示してある。このように構成することによって、瞳Ｂで示すように、対物レンズの瞳内に、光量の異なる領域を形成できる（瞳Ｂにおいて、符号Ｄで示す部分が開口部であり、符号Ｅで示す格子線部が、開口部においてフイルタ４５によって光量が抑制された領域を示す）。この結果、標本に直接入射する照明光の光量が抑えられ、標本の細かい領域をコントラスト良く観察し易くなる。また、遮光体４０ａ，４０ｂ及びフィルタ４５を任意に移動させることで、標本を照明する照明光の角度を変化させて、対物レンズに直接入射する照明光と標本から発する回折光の割合をより細かく調節できる。
【００４８】
なお、上記したフィルタ４５は、遮光体４０ａに重なるように配置したが、図（ｃ）に示すように、遮光体４０ｂの部分にも別途、配置することで、更に照明の自由度を増すことができる。
【００４９】
図１７は、前記対物レンズの瞳に形成される開口に対し、部分的に光の強度を制御する別の構成例を示している。図１７（ａ）に示した構成は、一方の遮光体４０ａの近傍に、減光比が異なる２枚のＮＤフィルタ４５ａ，４５ｂを重ね、互いに独立移動可能で、かつ遮光体４０ａ，４０ｂに対しても独立移動可能に配置したものである。
【００５０】
このように構成することによって、同じ大きさの開口部に対して、光の強度を調節することができ、照明の自由度が増すと共に、位相標本などを可視化させてコントラストの調節をより細かく行える。もちろん、この構成においても、遮光体４０ｂ側に、同一の構成のフイルタ４５ａ，４５ｂを配置しても良い。
【００５１】
また、上記した構成では、光の強度を調節する部材として、ＮＤフイルタを用いたが、偏光素子を用いても開口部における強度を任意に調節することが可能である。例えば、図１７（ｂ）に示すように、コンデンサの瞳Ａの領域を全てを覆う回転可能な偏光板４６ａを、遮光体４０ａ，４０ｂに隣接して配置すると共に、遮光体４０ａの近傍に、偏光板４６ｂを矢印方向に移動可能に配置しておく。この結果、偏光板４６ｂを偏光板４６ａに重ね、かつ偏光板４６ａを回転させることで、重なり領域において光の強度を連続的に調節することができ、位相標本のコントラストを連続して変化させることができる。
【００５２】
あるいは、上記したようなＮＤフィルタや、偏光板以外にも、液晶パネルを用いても、同様な効果を得ることができる。すなわち、液晶パネルに加わる印加電圧を制御することで、対物レンズの瞳内に形成される開口の形状を変化させたり、開口内において明るさの異なる領域を任意に形成することができる。また、上記したようなＮＤフィルタ、偏光素子、液晶素子を、任意に組み合わせても良い。
【００５３】
上述した構成において、コンデンサレンズは、図６に示したように、開口絞り４１を具備するように構成されている。ここで、コンデンサレンズが開口絞り４１を備えている場合、対物レンズの瞳に形成される開口の制御について、図１８を参照して説明する。
【００５４】
開口絞り４１は、コンデンサレンズ２６が照明可能な最大の開口数の瞳Ａを絞るように構成されている。このため、開口絞り４１を遮光体４０ａ，４０ｂと併せて調節することにより、図に示すように、領域ＧとＨの光をカットすることができる。すなわち、開口絞り４１を絞り込むことで、対物レンズの瞳Ｂの開口領域を、長手方向で制限することが可能となる。また、対物レンズに直接入射しない暗視野照明光の調節も可能となる。なお、開口絞り４１を配置するのは、上述したすべての構成例に適用することが可能である。
【００５５】
以上説明した遮光体４０ａ，４０ｂの移動方向については、対物レンズの瞳の開口形状を有効に制御できれば、限定されることはない。例えば、図１９（ａ），（ｂ）に示すように、左右方向に延出する軸４０ｐ，４０ｑを支軸として各遮光体を回転移動するように構成しても、各対物レンズの瞳の開口形状を有効に制御することが可能である。
【００５６】
図１６乃至図１９は、いずれも通常の顕微鏡を例にして説明したが、各図面に示された光学系は、実体顕微鏡にも同様に適用可能である。実体顕微鏡における瞳と遮光体との位置関係は、図１１に示した構成と同様であり、図示すれば、それぞれ図２０〜図２５のようになる。
【００５７】
図２６乃至図２８は、遮光体の変形例を示す図である。なお、これらの変形例は、通常の顕微鏡に適用している。
【００５８】
図２６に示す構成は、一方の遮光体４０ｃがＬ字形状であり、他方の遮光体４０ｄが矩形形状に構成されている。このような形状の遮光体４０ｃ，４０ｄを、前後左右に移動可能に構成すると共に、遮光体４０ｄを、さらに光軸と直交する方向の平面内において回動可能に構成することによって、図（ａ）乃至（ｄ）に示されるように、対物レンズの瞳の開口形状、すなわち、対物レンズに直接入射する照明光を連続的に調節することができる（各図において、瞳Ｃの斜線部分が、各遮光体４０ｃ，４０ｄによって遮光される部分である）。さらには、図（ｅ）に示すように、瞳Ｃのみを遮光することで暗視野照明を行うことができ、この場合、瞳Ａを部分的に遮光することで、暗視野照明時における光量も連続的に調節でき、位相標本の観察の自由度が向上する。
【００５９】
また、図２７は、４枚の正方形の遮光体４０ｅを対物レンズの瞳位置と共役な位置（もしくはその近傍）に配置する構成例を示している。図（ａ）及び（ｂ）に示すように、各遮光体を前後左右方向に移動させることで、明視野照明から偏斜照明、さらには暗視野照明へと照明光の入射角度を変えながら切換えることができ、さらには、各遮光体４０ｅを回転可能に構成したり、あるいは別途開口絞りを配置することで、照明の自由度が増し、位相標本の観察の自由度が向上する。
【００６０】
また、図２８は、図（ａ）に示すように、１／４円形状の切欠き４０ｈを形成した矩形形状の遮光体４０ｆを対物レンズの瞳位置と共役な位置（もしくはその近傍）に配置する構成例を示している。図（ａ）に示すように、各遮光体を接触させると、全体として中心部に円形の開口が形成された遮光体となり、円形開口の偏斜照明を行うことができる。また、各遮光体の矢印方向への移動により、例えば、図（ｂ）に示すように、様々な開口形状を実現することができる。
【００６１】
以上のように、遮光体が２つ以上であっても、あるいはその形状が矩形でなくても、対物レンズの瞳の開口形状を任意に制御することが可能であり、透明な位相標本を可視化させて、コントラストを連続的に調節することが可能である。
【００６２】
上述した構成において、前記対物レンズの瞳の面積をＤ１とし、前記した各種の遮光体によって前記対物レンズの瞳内に形成される開口の面積をＤ２とした場合、Ｄ１とＤ２の比率（Ｄ２／Ｄ１）が、
Ｄ２／Ｄ１＜０．５（条件１）
を満足するように各遮光体を移動させることが好ましい。
【００６３】
この条件１を満足することで、透明な位相標本などをコントラスト良く可視化することができる。
【００６４】
すなわち、Ｄ１とＤ２の比率（Ｄ２／Ｄ１）は、標本を透過して対物レンズに直接入射する直接光と、標本による回折光の割合であり、偏斜照明の度合いを示す数値である。上記した条件を満足することで、標本からの回折光を取り込み、かつ直接光の割合を抑えた偏斜照明あるいは暗視野照明となるので、透明な標本をコントラスト良く、可視化することができる。
【００６５】
また、上述した構成において、透明な位相標本をコントラスト良く可視化するためには、偏斜照明や暗視野照明のように、照明角度が大きくとれるコンデンサレンズを備えた照明光学系が必要となる。さらに、前記コンデンサレンズの照明範囲が広いほど、つまり低倍率において位相標本を可視化できることが重要であり、また、観察範囲が広くなることで、観察効率の向上が図れる。
【００６６】
一般に対物レンズの倍率と開口数には、ある一定の関係があり、おおよそ対物レンズの倍率と開口数は、以下の表のような値をもつ。
【００６７】
【表１】
0004503716.tif 000002
【００６８】
そこで、前記コンデンサレンズの照明可能な最大の開口数をＮＡ１、前記コンデンサレンズの最大の照明範囲を観察可能な対物レンズの開口数をＮＡ２とした場合、
ＮＡ２／ＮＡ１＜０．６（条件２）
を満足するコンデンサレンズを備えた透過照明光学系とすることが好ましい。
【００６９】
以上のような条件２を満足することで、最も広い照明範囲を観察可能な対物レンズにおいて、照明角度が大きく対物レンズに直接入射しない照明光を充分に確保することができる。照明光の成分としては、暗視野照明を含む偏斜照明光の領域が充分に確保されるので、２つ以上の遮光体を各々移動して偏斜照明から暗視野照明までの照明の自由度が増える。この結果、低倍率の対物レンズの観察から、透明な位相標本のコントラストを連続して変化させることができる。また、対物レンズの倍率が高くなると開口数も大きくなるので、対物レンズの倍率が高くなるにつれて暗視野照明を含む偏斜照明の領域が少なくなる。このため、低倍率での観察だけでなく、それ以外の倍率の観察においても、条件２を満足することは重要である。
【００７０】
上述した遮光体は、図６に示したように、コンデンサレンズの前側焦点位置、もしくはその近傍に配置した構成としたが、顕微鏡の光学系のデザインによって、様々な位置に配置することが可能である。そのような光学系の一例を図２９を参照して説明する。
【００７１】
図２９は、図６に示した光学系の内、透過照明光学系のデザインを変更した構成を示す（図６と同一の部材については同一の参照符号が付してある）。この透過照明光学系は、図６に示した拡散板２２と偏向ミラー２４との間に、リレーレンズ６０及び６１を配設している。この構成によれば、光源２０から射出した光は、コレクタレンズ２１によって平行光とされた後、リレーレンズ６０によって一次光源像（結像位置を符号Ｐ３で示す）をつくる。そして、この一次光源像は、リレーレンズ６１、偏向ミラー２４、投影レンズ２５を介して、コンデンサレンズ２６の前側焦点位置に投影される（２次光源像）。絞り２３は視野絞りであり、絞り４１は開口絞りとして機能する。
【００７２】
このような光学系によれば、対物レンズ３１の瞳と共役位置である１次光源像の位置Ｐ３もしくはその近傍位置に、上述したような構成の遮光体４０ａ，４０ｂ（上述した他の構成の遮光体であっても良い）を配置することが可能となる。また、このような構成においても、上述した条件１が満足されるように、各遮光体を移動させることで、偏斜照明又は暗視野照明の効果が得られる。また、低倍や極低倍領域を照明する場合、コンデンサレンズを照明光路から取り外すか、あるいは１倍以下の照明に使用されるコンデンサレンズをアフォーカル系として構成する。この場合、対物レンズ３１の瞳位置と共役になる位置は、投影レンズ２５の前側焦点位置である視野絞り２３と対応するため、この視野絞り２３の位置、もしくはその近傍に上述した構成の遮光体を移動可能に配置することで同様の効果が得られる。
【００７３】
また、上述した透過照明光学系において、偏向ミラー２４を回動可能に構成しても良い。偏向ミラー２４の回動は、図５に示した実体顕微鏡の場合、ミラー傾き調整レバー２０４を操作することで行うことができる。このように、偏向ミラー２４を回動可能に構成したことにより、偏斜照明時や暗視野照明時において、標本に対する照明光の角度を任意に調節することが可能となる。
【００７４】
上述した構成において、透過照明光学系に用いられるコンデンサレンズは、対物レンズの倍率に応じて切り換え可能に構成されている。すなわち、コンデンサレンズの開口絞りと標本との間にある少なくとも１つのレンズ群が、低倍率の対物レンズと高倍率の対物レンズに応じて、着脱または他のレンズ群に切換えて使用するように構成されている。そして、このように構成されるコンデンサレンズにおいては、上述したような遮光体は、低倍率時のコンデンサレンズの瞳位置、またはその近傍に配置するのが良い。
【００７５】
このように、低倍率時のコンデンサレンズの瞳位置、またはその近傍に遮光体を配置するのは以下の理由による。すなわち、本発明による照明法は、大きい開口数を有する高倍率時の観察において得られる標本について、正しい情報になるとは限らないが、低倍率時においては、回折現象というよりは照明による散乱現象に近い。しかも、低倍率時の観察では、解像を重視するのではなく、コントラストを連続的に変化させて可視化することが重要である。
【００７６】
低倍率時のコンデンサレンズの瞳位置に、前記対物レンズの瞳内に形成される開口を制御する遮光体を配置することで、位相標本を可視化する低倍率時においても、前述したように、明視野照明から偏斜照明、さらには暗視野照明へと連続的に照明を変えることが可能となり、位相標本のコントラストを連続して変化させることができる。さらに、高倍率時に、位相差観察や微分干渉観察が可能なコンデンサレンズであるユニバーサルコンデンサと併用することで、それぞれの照明を切換えて使用することも可能となる。すなわち、低倍率での観察には、上述したような照明法を使用して位相標本全体の構造や分布をコントラスト良く可視化し、高倍率での観察では、従来の観察法である位相差や微分干渉を使用して微細構造の観察が行えるように構成することもできる。
【００７７】
上述したように、透過照明光学系において、開口絞りと標本の間にある少なくとも１つのレンズ群が、低倍率、高倍率に応じて着脱、または他のレンズ群に切換えられるコンデンサレンズを使用する場合において、高倍率時のコンデンサレンズの焦点距離をＦ１、低倍率時のコンデンサレンズの焦点距離をＦ２としたとき、
Ｆ１／Ｆ２＜０．４５（条件３）
を満足するように構成するのが好ましい。
【００７８】
このような条件３を満足するように、コンデンサレンズを設計することで、高倍率から低倍率、さらには極低倍率領域まで、２つのコンデンサレンズを切換えることで良好な照明が可能となる。特に、低倍率から極低倍率領域において、対物レンズの瞳内に形成される開口形状を制御する上述した遮光体によって、照明を自由に変化させて透明な位相標本をコントラスト良く可視化することができる。
【００７９】
次に、本発明の顕微鏡透過照明装置に用いられるコンデンサレンズの好ましい構成例を具体的に説明する。
【００８０】
（構成例１）
図３０は、高倍率に用いられるコンデンサレンズを示しており、レンズ系は、レンズ群Ｌ１、Ｌ２及びＬ３で構成されている。また、開口絞り７０、および、コンデンサレンズの瞳位置Ｐ１において、図示しない位相差用リングスリット、微分干渉用プリズム、暗視野用リングスリット等の特殊観察用ターレットディスクを備えている。標本はスライドガラス７２上に載置され、ステージ面に配置されている。上述したように構成された遮光体７４ａ，７４ｂは、瞳位置Ｐ１の近傍に、移動可能に配置されている。以下にコンデンサレンズの構成を示す。
【００８１】
【表２】
0004503716.tif 000003
【００８２】
上記したようなコンデンサレンズによれば、低倍側の対物レンズの瞳径に対して、コンデンサレンズの瞳径が十分大きく、標本を照射する暗視野照明を含む偏斜照明成分を確保できる。この結果、開口絞り位置近傍に、対物レンズの瞳内に形成される開口の形状を制御する遮光体を移動可能に配置することで、透明な位相標本等を可視化し、連続的にコントラストを変化させることができる。また、本発明における照明装置に加えて、前記コンデンサレンズによれば、位相差観察、微分干渉観察および暗視野観察等を行うことができ、多様な観察法に対応できる照明光学系となる。なお、ターレットディスク内に、遮光体７４ａ，７４ｂを配置し、移動させる構成でも同様な効果が得られる。
【００８３】
（構成例２）
図３１は、高倍率に用いられるコンデンサレンズを示しており、レンズ系は、レンズ群Ｌ１、Ｌ２及びＬ３で構成されている。また、開口絞り７０、および、コンデンサレンズの瞳位置Ｐ１において、図示しない位相差用リングスリット、微分干渉用プリズム、暗視野用リングスリット等の特殊観察用ターレットディスクを備えている。標本はスライドガラス７２上に載置され、ステージ面に配置されている。この場合、レンズＬ３とステージとの間は、油浸用のオイルが満たされている。また、上述したように構成された遮光体７４ａ，７４ｂは、瞳位置Ｐ１の近傍に、移動可能に配置されている。以下にコンデンサレンズの構成を示す。
【００８４】
【表３】
0004503716.tif 000004
【００８５】
上記したようなコンデンサレンズによれば、低倍側の対物レンズの瞳径に対して、コンデンサレンズの瞳径が十分大きく、標本を照射する暗視野照明を含む偏斜照明成分を確保できる。この結果、開口絞り位置近傍に、対物レンズの瞳内に形成される開口の形状を制御する遮光体を移動可能に配置することで、透明な位相標本等を可視化し、連続的にコントラストを変化させることができる。また、本発明における照明装置に加えて、前記コンデンサレンズによれば、位相差観察、微分干渉観察および暗視野観察等を行うことができ、多様な観察法に対応できる照明光学系となる。なお、ターレットディスク内に、遮光体７４ａ，７４ｂを配置し、移動させる構成でも同様な効果が得られる。
【００８６】
（構成例３）
図３２は、低倍率に用いられるコンデンサレンズを示しており、対物レンズの瞳内に形成される開口の形状を制御する遮光体７４ａ，７４ｂが移動可能に設けられている。このコンデンサレンズは、レンズ系内に、開口絞り７０と、接合を含む５枚のレンズで構成されている。標本はスライドガラス７２上に載置され、ステージ面に配置されている。上記遮光体７４ａ，７４ｂは、瞳位置近傍である開口絞り７０の近傍に配置されている。以下にコンデンサレンズの構成を示す。
【００８７】
【表４】
0004503716.tif 000005
【００８８】
上記したようなコンデンサレンズによれば、極低倍の対物レンズの瞳径に対して、コンデンサレンズの瞳径が十分大きく、標本を照射する暗視野照明を含む偏斜照明成分を確保できる。この結果、開口絞り位置近傍に、対物レンズの瞳内に形成される開口の形状を制御する遮光体を移動可能に配置することで、透明な位相標本等を可視化し、連続的にコントラストを変化させることができる。しかも、従来の技術で述べたように、この倍率領域では、位相標本を可視化してコントラストを変化させるような照明が無いので、この構成例によれば、従来にはなかった照明が実現できる。
【００８９】
（構成例４）
図３３は、開口絞りと標本の間にある少なくとも１つのレンズ群が、高倍率と低倍率に応じて切換えて使用されるコンデンサレンズの構成を示している。図（ａ）が高倍率時に用いられる構成であり、図（ｂ）が低倍率時に用いられる構成である。
【００９０】
高倍率時に用いられるコンデンサレンズは、図３０に示した構成と同一である。そして、低倍率時には、レンズ群Ｌ２，Ｌ３が照明光路より移動し、代わりにレンズ群Ｌ４が照明光路に挿入される。低倍率時における瞳位置Ｐ１近傍に、対物レンズの瞳内に形成される開口を制御する遮光体７４ａ，７４ｂが移動可能に配置される。
【００９１】
高倍率時における照明範囲は、１０倍〜１００倍に対応しており、低倍率時における照明範囲は、１．２５倍〜４倍に対応する。以下にコンデンサレンズの構成を示す。
【００９２】
【表５】
0004503716.tif 000006
【００９３】
上記したようなコンデンサレンズによれば、低倍率時の瞳位置近傍に、遮光体を配置したことで、１．２５倍から４倍において、位相標本等を可視化し、コントラストを連続的に変化させることができる。この結果、極低倍から低倍の領域では、上記したような低倍型のコンデンサレンズで位相標本を可視化して観察することができ、高倍率時では、位相差や微分干渉、及び暗視野観察を行うことができる。
【００９４】
（構成例５）
図３４は、高倍率と低倍率に応じて切換えて使用されるコンデンサレンズの構成を示している。図（ａ）が高倍率時に用いられる構成であり、図（ｂ）が低倍率時に用いられる構成である。この場合、高倍率時に用いられるコンデンサレンズは、図３０に示した構成と同一であり、低倍率時に用いられるコンデンサレンズは、図３２に示した構成と同一である。以下にコンデンサレンズの構成を示す。
【００９５】
【表６】
0004503716.tif 000007
【００９６】
上記したようなコンデンサレンズによれば、低倍率時の瞳位置近傍に、遮光体を配置したことで、１．２５倍から４倍において、位相標本等を可視化し、コントラストを連続的に変化させることができる。また、高倍率時のコンデンサレンズは、位相差観察、微分干渉観察をするための光学素子をコンデンサレンズの瞳位置に配置することで、そのような観察が可能となる。
【００９７】
この結果、極低倍から低倍の領域では、上記したような低倍型のコンデンサレンズで位相標本を可視化して観察することができ、高倍率時では、位相差観察、微分干渉観察、及び暗視野観察等を行うことができ、多様な観察法に対応できる照明光学系となる。また、低倍率時に配置される遮光体７４ａ，７４ｂの位置と、高倍率時のコンデンサレンズの瞳位置が近いため、高倍率時のコンデンサレンズでも、遮光体７４ａ，７４ｂを使用して、対物レンズの瞳内に形成される開口を制御することができる。
【００９８】
以上のような透過照明光学系は、図示しない落射蛍光顕微鏡と組み合わせて使用することも可能である。位相差観察用対物レンズのように、対物レンズの瞳位置に位相膜を配置する必要がないので、対物レンズにロスが無く、蛍光を明るく観察することができる。蛍光染色された透明な位相標本においては、上述したような透過照明系を用いて、コントラスト良く可視化し、落射蛍光照明によって蛍光染色された細胞等を観察することができる。
【００９９】
次に、図３５を参照して、本発明の別の実施の形態について説明する。図３５は、実体顕微鏡における透過照明光学系の概略構成を示す図である。
【０１００】
透過照明光学系は、ハロゲンランプ等の光源８０の光を略平行光束にするコレクターレンズ等の平行光束部材８２と、平行光束部材８２からの光束を拡散させる摺りガラス等の第１の拡散板８３と、第１の拡散板８３からの拡散光線を集光する凸レンズ等の第１の集光部材８５と、第１の集光部材８５からの光を拡散する摺りガラス等の第２の拡散板８６と、第２の拡散板８６からの光を上方向に偏向する偏向ミラー８７と、偏向ミラー８７からの光を集光して標本載置ガラス８９上の標本９０に照射する、凸レンズ等の第２の集光部材８８とを具備している。
【０１０１】
前記第２の拡散板８６と偏向ミラー８７との間には、第１の補助凸レンズ９１が光路から挿脱可能に配置され、ミラー８７と第２の集光部材８８との間には、第２の補助凸レンズ９２が挿脱可能に配置されている。第２の集光部材８８と第２の補助凸レンズ９２との間には、上述した実施の形態の遮光体と同様に構成された第１及び第２の遮光体９５ａ，９５ｂが移動可能に配置されている。さらに、第２の拡散部材８６と第２の補助凸レンズ９１との間には、同様な構成の遮光体９５ｃ，９５ｄが移動可能に配置されている。
【０１０２】
上記構成によれば、光源８０から出射した光は、平行光束部材８２で効率よく集光されて略平行光線にされ、第１の拡散板８３に入射する。第１の拡散板８３は照明視野を満たすために大きな面積の略均一な光源としての役割を持つ。第１の拡散板８３で拡散された光は、第１の集光部材８５によって集光される。第１の集光部材８５は第１の拡散板８５で発散方向に拡散された光を照明に有効な収束方向に集める役目を持つ。
【０１０３】
第２の拡散板８６に入射した光は、さらにその収束方向に沿って拡散される。第２の拡散板８６は開口数を満たすための光の拡散を行い、最終的な光源となる。第２の拡散板８６で拡散された光は、偏向ミラー８７によって上方に偏向され、第２の集光部材８８に入射し、標本載置透明部材８９を通して標本９０を照明する。
【０１０４】
第２の拡散板８６と偏向ミラー８７との間に挿入される第１の補助凸レンズ９１は、照明視野が狭く開口数が大きくなる高倍率対物レンズのために、光の収束を強め、光の利用効率を上げる役目を果たす。また、偏向ミラー８７と第２の集光部材８８との間に挿入される第２の補助凸レンズ９２は、第２の集光部材８８と併せて凸レンズのパワーを上げることで、照明視野を狭め角度の大きい光で標本９０を照明する役目を果たす。すなわち、照明光学系が、対物レンズの倍率に応じて切り換えられるため、最適な照明条件で観察できる。
【０１０５】
高倍率の対物レンズは焦点距離が短く、照明装置内の瞳共役位置は、第２の集光部材８８に限りなく近づき、また、低倍率の対物レンズの場合は、そこから離れ、偏向ミラー８７で光軸を折り返す位置の手前に瞳共役位置が存在することが通例である。従って、それらの位置に、遮光体９５ａ，９５ｂ、及び９５ｃ，９５ｄを各々配置し、各遮光体を独立して光軸に対して挿脱を行うことで明るさ絞りを形成でき、さらに、各遮光体を光軸から任意にずらすことで、偏斜照明が可能になる。
【０１０６】
なお、上述した遮光体９５ａ，９５ｂ（９５ｃ，９５ｄ）は、図１２乃至図１５に示した駆動機構によって移動可能となっており、遮光体によって、左右の対物レンズの瞳は、図１１、図２０〜図２５に示したように、共に上下方向から均等に絞られる。左右の瞳が均等に絞られるため、左右の像の見え方は均等となり、実体顕微鏡の特徴である左右の視差で自然に立体感が得られる。また、前記実施の形態と同様、遮光体を移動することで、対物レンズやの瞳に入射する直接光と、回折光の割合を制御することができ、コントラストを強調したり、連続的に変化させることができる。すなわち、微細構造を持つ標本に対して非常に細やかなコントラスト調整が可能になり、今まで観察不可能であったものが観察できるようになる。また、高倍率と低倍率に適した位置に絞りを配置したので、高倍率から低倍率まで、偏斜照明を行うことができる。また、低倍率から高倍率への切り換えは、レンズ９１，９２の付加によって実現できるため構造が簡単になり、安価に構成できる。さらに、拡散板を二つ配置し、各々の役割を明確にしたので、光学系の最適設計を行い易く、効率が良くなり、不必要に拡散効果が大きい拡散板を用いなくても済む。
【０１０７】
図３６は、図３５に示した構成の変形例を示す。この変形例において、図３５に示した構成との相違点は、偏向ミラー８７を回動可能に構成し、かつ、低倍率側の遮光体９５ｃ，９５ｄを取除いた点である。
【０１０８】
これは、微細構造を観察する場合、主に解像の関係から、高倍率で観察が行える、という要求が高いことに基づく。なお、低倍率での観察は、回動する偏向ミラー８７ａによって、十分な照明効果（偏斜照明）で大きい視野を従来通りのコントラストで得られる。このように、高倍率での偏斜照明を遮光体９５ａ，９５ｂで行い、低倍率での偏斜照明を偏向ミラー８７ａで行うことにより、コストの低下が図れる。また、瞳位置の共役関係が不十分な中倍率での偏斜照明も偏向ミラー８７ａで行えるため、使い勝手が良い。
【０１０９】
なお、図３５、図３６に示した実施の形態における照明系は、偏斜照明において、高倍率、低倍率で照明視野の充足と、開口数（瞳）の充足を行うための一例である。したがって、公知の明視野照明装置の瞳位置に、上記したような遮光体を配置しても、十分に偏斜照明が行える。但し、偏斜照明を行うにあたり、その汎用性、効果を十分に発揮するためには、上記の照明系もしくはそれ以上の広い照明視野と、大きな開口数を持った光学系と組み合わせることが好ましい。
【０１１０】
また、図に示した照明光学系において、第１，第２の拡散板８３，８６を一体化し、第１の集光部材８５をなくして第１，第２の拡散板各々にレンズ効果を分配することも可能である。また、第１，第２の補助凸レンズ９１，９２を挿入する代りに、第１，第２の集光部材８５，８８の焦点距離を変えることも可能であり、補助凸レンズを挿入する位置も変更することが可能である。
【０１１１】
また、図３５、図３６に示した実施の形態において、以下のように変形することが可能である。
【０１１２】
ズーム実体顕微鏡の高倍率の瞳位置、および低倍率の瞳位置と各々共役な２個所に、少なくとも２つの遮光体を移動可能に配置する。このような構成によれば、高倍率と低倍率で、最適な偏斜照明を実現できる。
【０１１３】
図に示す光学系に、光源からの出射光軸を上方に偏向する他の偏向部材を設け、この偏向部材を傾けて照明光線を偏斜させるように構成する。このように他の偏向部材の偏斜を組合わせることで、偏斜照明の範囲が広がる。
【０１１４】
【発明の効果】
以上、本発明によれば、次のような効果が得られる。
【０１１５】
顕微鏡の対物レンズの瞳内に形成される開口の形状を、遮光体の移動によって制御することで、標本を透過して対物レンズに入射する直接光と回折光の強度の割合を調節することが可能となる。この結果、位相標本のような透明な物体を可視化し、かつコントラストを連続的に変化させることが可能となり、様々な厚みや屈折率の差がある標本を最適に照明できる。しかも、顕微鏡に特別な対物レンズを設ける必要も無い。
【０１１６】
低倍領域や極低倍領域では、従来、明視野照明法しか存在しなかったが、本発明の照明法によって、低倍領域や極低倍領域から位相標本を可視化して、標本の全体的構造や分布を観察することができる。さらに、従来からの位相差観察法や、微分干渉観察法を併せて用いることにより、多様な照明を提供することができる。
【図面の簡単な説明】
【図１】（ａ）乃至（ｄ）は、一般的な偏斜照明法におけるコンデンサレンズの模式図、及び夫々の開口絞りによって形成される瞳の開口形状を示す図。
【図２】（ａ）は、一般的な暗視野照明法におけるコンデンサレンズの模式図であり、（ｂ）は、絞りの形状を示す図。
【図３】（ａ）は、従来の透過照明装置の概略構成を示す図であり、（ｂ）は、左右の対物レンズの瞳の開口形状を示す図。
【図４】（ａ）は、従来の別の透過照明装置の概略構成を示す図であり、（ｂ）は、左右の対物レンズの瞳とナイフエッジとの関係を示す図。
【図５】本発明の透過照明装置が適用可能な実体顕微鏡の外観を示す図。
【図６】図５に示した実体顕微鏡の光学系の構成を模式的に示す図。
【図７】（ａ）は、明視野照明状態におけるコンデンサレンズと対物レンズの部分を模式的に示す図であり、（ｂ）は、その時の瞳の状態を示す図。
【図８】（ａ）は、図６に示した光学系において、遮光体、コンデンサレンズ、対物レンズの部分を模式的に示す図であり、（ｂ）は、その時の瞳の状態を示す図。
【図９】（ａ）は、図８に示した構成において、遮光体を移動させた状態を示す図であり、（ｂ）は、その時の瞳の状態を示す図。
【図１０】（ａ）は、図８に示した構成において、遮光体を移動させた状態を示す図であり、（ｂ）は、その時の瞳の状態を示す図。
【図１１】（ａ）乃至（ｄ）は、夫々図７乃至図１０に対応する図であり、図６に示した光学系を、実体顕微鏡に適用した場合の瞳と遮光体との位置関係を示す図。
【図１２】顕微鏡本体内に設けられる遮光体の駆動機構の一例を示す図。
【図１３】遮光体の駆動機構の第２の構成例を示す図。
【図１４】遮光体の駆動機構の第３の構成例を示す図であり、（ａ）は平面図、（ｂ）は側面図。
【図１５】遮光体の駆動機構の第４の構成例を示す図であり、（ａ）は平面図、（ｂ）は、図（ａ）のＩ−Ｉ線に沿った断面図。
【図１６】対物レンズの瞳に形成される開口に対し、部分的に光の強度を制御する構成を示す図であり、（ａ）は光学系の概略を示す図、（ｂ）は、遮光体と瞳の関係を示す図、（ｃ）は、遮光体部分の別の構成例を示す図。
【図１７】（ａ）及び（ｂ）を含み、それぞれ、対物レンズの瞳に形成される開口に対し、部分的に光の強度を制御する別の構成例を示す図。
【図１８】対物レンズの瞳に形成される開口形状を制御する別の構成例を示す図であり、図（ａ）は光学系の概略を示す図、図（ｂ）は、遮光体と瞳の関係を示す図。
【図１９】対物レンズの瞳に形成される開口形状を制御する別の構成例を示す図であり、（ａ）は光学系の概略を示す図、（ｂ）は、遮光体と瞳の関係を示す図。
【図２０】実体顕微鏡において、対物レンズの瞳に形成される開口に対し、部分的に光の強度を制御する構成を示す、遮光体と瞳の関係を示す図。
【図２１】図２０において、遮光体部分の別の構成例を示す図。
【図２２】対物レンズの瞳に形成される開口に対し、部分的に光の強度を制御する別の構成例を示す図。
【図２３】対物レンズの瞳に形成される開口に対し、部分的に光の強度を制御する別の構成例を示す図
【図２４】実体顕微鏡における対物レンズの瞳に形成される開口形状を制御する別の構成例を示す図であり、図（ａ）は光学系の概略を示す図、図（ｂ）は、遮光体と瞳の関係を示す図。
【図２５】実体顕微鏡における対物レンズの瞳に形成される開口形状を制御する別の構成例を示す図であり、（ａ）は光学系の概略を示す図、（ｂ）は、遮光体と瞳の関係を示す図。
【図２６】遮光体の別の構成例を示す図であり、（ａ）乃至（ｅ）は、それぞれ、２つの遮光体が移動した際の位置関係の例を示す図。
【図２７】遮光体の別の構成例を示す図であり、（ａ）及び（ｂ）は、それぞれ、２つの遮光体が移動した際の位置関係の例を示す図。
【図２８】遮光体の別の構成例を示す図であり、（ａ）は、１枚の遮光体の構成を示す図、（ｂ）及び（ｃ）は、それぞれ、２つの遮光体が移動した際の位置関係の例を示す図。
【図２９】透過照明光学系の別の構成例を示す図。
【図３０】本発明の透過照明光学系に用いられる高倍率用コンデンサレンズの構成を示す図。
【図３１】高倍率用コンデンサレンズの第２の構成を示す図。
【図３２】本発明の透過照明光学系に用いられる低倍率用コンデンサレンズの構成を示す図。
【図３３】顕微鏡透過照明装置に用いられる切換可能なコンデンサレンズの構成を示しており、（ａ）は高倍率用コンデンサレンズの構成を示す図、（ｂ）は低倍率用のコンデンサレンズの構成を示す図。
【図３４】顕微鏡透過照明装置に用いられる切換可能なコンデンサレンズの第２の構成を示しており、（ａ）は高倍率用コンデンサレンズの構成を示す図、（ｂ）は低倍率用のコンデンサレンズの構成を示す図。
【図３５】本発明の別の実施の形態を示す図。
【図３６】図２９に示した実施の形態の変形例を示す図。
【符号の説明】
２０…光源
２６…コンデンサレンズ
３０…標本
３１…対物レンズ
４０，４０ｂ，４０ｃ，４０ｄ，４０ｅ，４０ｆ…遮光体
４５，４５ａ，４５ｂ…フィルタ
４６ａ，４６ｂ…偏光板
９５ａ，９５ｂ，９５ｃ，９５ｄ…遮光体。
【図１】
0004503716.tif 000008
【図２】
0004503716.tif 000009
【図３】
0004503716.tif 000010
【図４】
0004503716.tif 000011
【図５】
0004503716.tif 000012
【図６】
0004503716.tif 000013
【図７】
0004503716.tif 000014
【図８】
0004503716.tif 000015
【図９】
0004503716.tif 000016
【図１０】
0004503716.tif 000017
【図１１】
0004503716.tif 000018
【図１２】
0004503716.tif 000019
【図１３】
0004503716.tif 000020
【図１４】
0004503716.tif 000021
【図１５】
0004503716.tif 000022
【図１６】
0004503716.tif 000023
【図１７】
0004503716.tif 000024
【図１８】
0004503716.tif 000025
【図１９】
0004503716.tif 000026
【図２０】
0004503716.tif 000027
【図２１】
0004503716.tif 000028
【図２２】
0004503716.tif 000029
【図２３】
0004503716.tif 000030
【図２４】
0004503716.tif 000031
【図２５】
0004503716.tif 000032
【図２６】
0004503716.tif 000033
【図２７】
0004503716.tif 000034
【図２８】
0004503716.tif 000035
【図２９】
0004503716.tif 000036
【図３０】
0004503716.tif 000037
【図３１】
0004503716.tif 000038
【図３２】
0004503716.tif 000039
【図３３】
0004503716.tif 000040
【図３４】
0004503716.tif 000041
【図３５】
0004503716.tif 000042
【図３６】
0004503716.tif 000043